(57)【要約】【課題】建物の外壁形成後、水切り材を取り付けでき、作業性を向上できるようにした建物の土台水切り装置を提供する。【解決手段】土台１と基礎２との間の換気用の通路を周方向に囲むように設けられる水切り材８を上端および下端で係合させるべく、水切り材８の配設長さ方向複数箇所において土台１の外側で建物の周囲を覆う透湿材５の下端部外側にブラケット９を取り付け、外壁７形成後において前記水切り材８をブラケット９に係合させるようにし、建物の外側で下方に開口するように前記水切り材８に形成された通気孔８ｇより基礎２と土台１との間の通路を介して床下の換気を行なうようにした。【選択図】    図２
2005282119.tif 000002
【特許請求の範囲】
【請求項１】
土台と基礎との間の換気用の通路を周方向に囲むように設けられる水切り材を上端および下端で係合させるべく、水切り材の配設長さ方向複数箇所において土台の外側で建物の周囲を覆う透湿材の下端部外側にブラケットを取り付け、外壁形成後において前記水切り材をブラケットに係合させるようにし、建物の外側で下方に開口するように前記水切り材に形成された通気孔より基礎と土台との間の通路を介して床下の換気を行なうようにしたことを特徴とする建物の土台水切り装置。
【請求項２】
土台の外側で建物の周囲を覆う透湿材と下地材との間に壁内換気用の空間を形成するための縦胴縁を設けた建物において、ブラケットは縦胴縁の下端に取り付けられることを特徴とする請求項１記載の建物の土台水切り装置。
【発明の詳細な説明】
【技術分野】
【０００１】
本発明は、建物の土台水切り装置に関するものである。
【背景技術】
【０００２】
建物の外壁を伝って流れ落ちる雨水を外壁の下端より外側に導き落下させるとともに基礎と土台との間の換気用の隙間から鼠や蛇などの床下への侵入を防止するために外壁の下端部内側で土台に取り付けられる水切り材は従来から種々知られている。例えば、特許文献１に開示されている床下換気工法用の水切り材は、基礎の上に基礎の長さ方向に適当間隔おきに配設した基礎パッキンを介して設けた土台に対して取り付けられ、その後で外装材、所謂外壁を設けている。
【特許文献１】特開２００２−３０９６８５号公報
【発明の開示】
【発明が解決しようとする課題】
【０００３】
上記特許文献１のように外壁を形成する前に水切り材を取り付ける場合、外壁の施工時に水切り材に傷が付いたり、また外壁の吹き付けや塗装時に水切り材に塗料が付着して汚れが生じるなどの問題があることから、水切り材の表面をシート状のもので養生しなければならないという問題があった。
【０００４】
本発明の目的は、このような課題を解決するものであり、建物の外壁形成後、水切り材を取り付けでき、作業性を向上できるようにした建物の土台水切り装置を提供することにある。
【課題を解決するための手段】
【０００５】
本発明の請求項１に記載の建物の土台水切り装置は、土台と基礎との間の換気用の通路を周方向に囲むように設けられる水切り材を上端および下端で係合させるべく、水切り材の配設長さ方向複数箇所において土台の外側で建物の周囲を覆う透湿材の下端部外側にブラケットを取り付け、外壁形成後において前記水切り材をブラケットに係合させるようにし、建物の外側で下方に開口するように前記水切り材に形成された通気孔より基礎と土台との間の通路を介して床下の換気を行なうようにしたことを特徴とする。
【０００６】
請求項２に記載の建物の土台水切り装置は、土台の外側で建物の周囲を覆う透湿材と下地材との間に壁内換気用の空間を形成するための縦胴縁を設けた建物において、ブラケットは縦胴縁の下端に取り付けられることを特徴とする。
【発明の効果】
【０００７】
以上のように、本発明の建物の土台水切り装置は、土台の外側で建物の周囲を覆う透湿材の下端部外側に設けたブラケットに対して水切り材を取り付け自在としているので、建物の外壁形成後、ブラケットに水切り材を係合させることができ、所謂水切り材を後付けすることができ、前記従来のような汚れや傷付きの防止から水切り材を養生するという手間を省くことができ、作業性を向上させることができる。
【発明を実施するための最良の形態】
【０００８】
以下、本発明の実施の形態を、図面に基づいて説明する。
先ず、図１〜図１６に示す第１の実施の形態について説明すると、１は建物の土台で、木材からなり、コンクリート製の基礎２の上に基礎２の長さ方向に適当間隔おきに配設したゴム製の基礎パッキン３を介して配設されていて、土台１と基礎２との間に換気用の通路を形成している。４は土台１の上に立設された柱である。５は土台１および柱４の外側で建物の周囲を覆う合板などからなるパネル状あるいはシート状の透湿材、６はこの透湿材５の外側に設けられる下地材である。この下地材６の下端が前記透湿材５の下端より僅かに上に位置するように下地材６が設けられ、この下地材６の外側に外壁７を設ける前に下地材６の下側で透湿材５の下端部外側には水切り材８を取り付けるためのアルミの押出しにより作られたブラケット９が設けられる。詳しくは、ブラケット９は透湿材５の下端部表面に当接する上下方向に向く板部９ａと、この板部９ａの上端を外向きに折り曲げて形成した係合部９ｂと、前記板部９ａの下端から建物側に向って緩やかな角度で斜め下向きに繋がる板部９ｃと、この板部９ｃの下端から真下向きに繋がる板部９ｄと、この板部９ｄの下端から外向きに緩やかな角度で斜め下向きに繋がる板部９ｅと、板部９ｄと板部９ｅとの繋がり部外側に形成された深さの浅い凹部９ｆとを備えている。このブラケット９は横幅寸法が短く、土台１の周方向適当間隔おきに位置するように前記上下方向に向く板部９ａの部分で釘打ちすることにより透湿材５を介して土台１に取り付けられている。１０はブラケット９を土台１に取り付るための釘である。このブラケット９に水切り材８を係合させて取り付ける前に前記下地材６の外側に外壁７を形成する。外壁７の下端は下地材６の下端よりやや下方に位置し、下地材６の下端部と外壁７の下端部との間には隙間が形成されている。
【０００９】
前記水切り材８は土台１と基礎２との間の換気用の通路を周方向に囲むように設けられるもので、多数本の水切り材８が用意されて土台１と基礎２との間の換気用の通路を周方向に包み込む。水切り材８はアルミの押出しにより長尺状に作られており、上端が前記ブラケット９の板部９ａの上端の係合部９ｂに嵌入する上下方向に向く板部８ａと、この板部８ａの下端から外向きに緩やかな角度で斜め下向きに繋がる板部８ｂと、この板部８ｂの先端から真下向きに繋がる板部８ｃと、この板部８ｃの下端から建物側に向ってほぼ水平に繋がる板部８ｄと、この板部８ｄの先端から建物側に向って緩やかな角度で斜め上向きに繋がり先端に前記ブラケット９の凹部９ｆに係合する爪片８ｅを備えた板部８ｆと、前記板部８ｄの横長さ方向適当間隔おきに形成された下方に開口する通気孔８ｇと、前記８ａと板部８ｂとの繋がり部外側に形成された深さの浅い凹部８ｈと、前記板部８ｄと板部８ｆとの繋がり部の下側に突出するリブ８ｉとを備えている。
【００１０】
なお図中、１１は前記基礎２の表面に設けられる化粧モルタル層である。
上記構成において、前記建物側に対する水切り材８の取り付けは前記下地材６の外側に外壁７を形成した後でブラケット９に係合させることにより行なわれるのであって、前記下地材６の下端部と外壁７の下端部との間の隙間に水切り材８の板部８ａを進入させて板部８ａの上端をブラケット９の係合部９ｂに嵌入させ、かかる状態で板部８ｆをブラケット９の板部９ｅ上を押し込むようにして滑らせ、板部８ｆ先端の爪片８ｅをブラケット９の凹部９ｆに係合させることにより水切り材８は長さ方向適所においてブラケット９に支持されることになる。このようにブラケット９に支持された水切り材８は前記化粧モルタル層１１から外側に突出し、水切り材８の下端の板部８ｄの通気孔８ｇは化粧モルタル層１１の外面に沿って並ぶようになり、また水切り材８の板部８ｂおよび板部８ｃは前記外壁７の下方に位置し、この水切り材８の板部８ｂおよび板部８ｃにより外壁７を伝って流れ落ちる雨水を外壁７の下端より外側に導き落下させるとともに建物の外側で下方に開口する通気孔８ｇにより基礎２と土台１との間の通路を介して床下の換気を行なうことができる。
【００１１】
ところで、前記水切り材８は多数本用意されて、各水切り材８が長さ方向複数箇所においてブラケット９により支持されるのであるが、出隅用として水切り材８の端部間の隙間を隠すために中央部が溶接にて接続されて作られた平面形状がＬ型の出隅ブラケット９Ａが使用される。また、水切り材８の直線部の端部間を外側から覆い端部間の隙間を隠すために直線ジョイント１２が使用され、出隅の水切り材８の端部間の隙間を外側から隠すために出隅ジョイント１３が使用される。さらに、建物の出入り口部分などにおいて水切り材８の連続が途絶える部分において水切り材８の端部を隠すときには小口蓋１４が使用される。これら、直線ジョイント１２、出隅ジョイント１３、小口蓋１４はそれぞれアルミの押出しにより作られていて、それぞれ前記水切り材８の上下方向に向く板部８ａの下端に当接する板部１２ａ、１３ａ、１４ａと、この板部１２ａ、１３ａ、１４ａから水切り材８の板部８ｂ、板部８ｃ、板部８ｄを包むように設けられた板部１２ｂ、１３ｂ、１４ｂと、この板部１２ｂ、１３ｂ、１４ｂの下端部における先端に形成され前記リブ８ｉに係止する爪部１２ｃ、１３ｃ、１４ｃと、前記板部１２ａ、１３ａ、１４ａと板部１２ｂ、１３ｂ、１４ｂとの繋がり部に形成され前記凹部８ｈに係止する爪部１２ｄ、１３ｄ、１４ｄとを備えている。そして、直線ジョイント１２においては板部１２ｂの下端部における先端中央部に切り起こし片１２ｅが形成され、水切り材８の直線部の端部間に切り起こし片１２ｅを位置させて水切り材８の長さ方向の動きを止めるようになっている。また、出隅ジョイント１３は中央部が溶接にて接続されて平面形状がＬ型に作られており、これには切り起こし片は存在しない。さらに、小口蓋１４は一端に水切り材８の端部を隠すための蓋板１４ｅが溶接にて取り付けられている。
【００１２】
次に、図１７〜図１９に示す第２の実施の形態について説明すると、この第２の実施の形態は土台１および柱４の外側で建物の周囲を覆う合板などからなる透湿材５と下地材６との間に壁内換気用の空間を形成するための縦胴縁１５を設けた建物において前記ブラケット９，９Ａや直線ジョイント１２、出隅ジョイント１３、小口蓋１４などを用いて水切り材８を取り付けた場合であって、ブラケット９，９Ａは下地材６の外側に外壁７を設ける前に下地材６の下側で縦胴縁１５の下端に釘打ちにて取り付けられる。そして、下地材６の外側に外壁７を形成した後でブラケット９，９Ａに水切り材８を係合させて支持し、水切り材８の取り付け作業がなされる。
【図面の簡単な説明】
【００１３】
【図１】本発明の第１の実施の形態における建物の土台水切り装置の水切り材取り付け前の状態を示す縦断面図である。
【図２】同建物の土台水切り装置の水切り材取り付け後の状態を示す縦断面図である。
【図３】同建物の土台水切り装置に使用されるブラケットの側面図である。
【図４】同ブラケットの平面図である。
【図５】同建物の土台水切り装置に使用される出隅ブラケットの側面図である。
【図６】同出隅ブラケットの平面図である。
【図７】同建物の土台水切り装置に使用される直線ジョイントの側面図である。
【図８】同直線ジョイントの平面図である。
【図９】同建物の土台水切り装置に使用される出隅ジョイントの側面図である。
【図１０】同出隅ジョイントの平面図である。
【図１１】同建物の土台水切り装置に使用される小口蓋の側面図である。
【図１２】同小口蓋の平面図である。
【図１３】同建物の土台水切り装置の配設部の平面図である。
【図１４】図１３のＡ−Ａ断面図である。
【図１５】図１３のＢ−Ｂ断面図である。
【図１６】図１３のＣ−Ｃ矢視図である。
【図１７】本発明の第２の実施の形態における建物の土台水切り装置の水切り材取り付け前の状態を示す縦断面図である。
【図１８】同建物の土台水切り装置の水切り材取り付け後の状態を示す縦断面図である。
【図１９】図１８のＤ−Ｄ断面図である。
【符号の説明】
【００１４】
１          土台
２          基礎
３          基礎パッキン
５          透湿材
６          下地材
７          外壁
８          水切り材
８ａ        板部
８ｂ        板部
８ｃ        板部
８ｄ        板部
８ｅ        爪片
８ｆ        板部
８ｇ        通気孔
８ｈ        凹部
８ｉ        リブ
９，９Ａ    ブラケット
９ａ        板部
９ｂ        係合部
９ｃ        板部
９ｄ        板部
９ｅ        板部
９ｆ        凹部
１０          釘
１２          直線ジョイント
１２ａ        板部
１２ｂ        板部
１２ｃ        爪部
１２ｄ        爪部
１２ｅ        切り起こし片
１３          出隅ジョイント
１３ａ        板部
１３ｂ        板部
１３ｃ        爪部
１３ｄ        爪部
１４          小口蓋
１４ａ        板部
１４ｂ        板部
１４ｃ        爪部
１４ｄ        爪部
１４ｅ        蓋板
１５          縦胴縁
【図１】
2005282119.tif 000003
【図２】
2005282119.tif 000004
【図３】
2005282119.tif 000005
【図４】
2005282119.tif 000006
【図５】
2005282119.tif 000007
【図６】
2005282119.tif 000008
【図７】
2005282119.tif 000009
【図８】
2005282119.tif 000010
【図９】
2005282119.tif 000011
【図１０】
2005282119.tif 000012
【図１１】
2005282119.tif 000013
【図１２】
2005282119.tif 000014
【図１３】
2005282119.tif 000015
【図１４】
2005282119.tif 000016
【図１５】
2005282119.tif 000017
【図１６】
2005282119.tif 000018
【図１７】
2005282119.tif 000019
【図１８】
2005282119.tif 000020
【図１９】
2005282119.tif 000021